【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
低電圧制御信号で高電圧スイッチング回路を制御する方法であって、該方法が、
少なくとも１つの低電圧制御信号に結合する、低電圧インバータを提供することと、
前記低電圧インバータに結合し、前記低電圧インバータで制御される第１高電圧トランジスタを提供することと、
前記第１高電圧トランジスタに結合し、前記第１高電圧トランジスタで制御される第２高電圧トランジスタを提供することと、
前記第２高電圧トランジスタに結合し、前記第２高電圧トランジスタによって制御される、連続した第３、第４高電圧トランジスタを含む１次入力／出力信号路を提供することと、を含む方法であって、前記低電圧インバータは、前記第１高電圧トランジスタをターンオンし、
前記第１高電圧トランジスタは、前記第２高電圧トランジスタをターンオンし、
更に、前記第２高電圧トランジスタは、前記第３、第４高電圧トランジスタをターンオンすることで、前記１次入力／出力信号路をイネーブルする、前記方法。
【請求項２】
低電圧制御信号のみを使用して、浮遊コンデンサにより、前記第２高電圧トランジスタのソースを昇圧することを更に含む、請求項１に記載の方法。
【請求項３】
前記１次入力／出力信号路から、漏洩電流及びスイッチング電流を除去するための２次経路を提供することを更に含む、請求項２に記載の方法。
【請求項４】
前記２次経路から、前記高電圧トランジスタを駆動するのに必要とされる制御電流を供給することを更に含む、請求項３に記載の方法。
【請求項５】
前記２次経路から、前記高電圧トランジスタ用の漏洩電流を供給することを更に含む、請求項３及び４のいずれか一項に記載の方法。
【請求項６】
前記１次、又は２次経路から、前記浮遊コンデンサを駆動することを更に含む、請求項３〜５のいずれか一項に記載の方法。
【請求項７】
前記高電圧スイッチング回路は、高電圧電源、又は高電圧制御信号を必要とせず、高電圧信号用の伝送ゲートスイッチとして使用される、請求項１〜６のいずれか一項に記載の方法。
【請求項８】
前記高電圧スイッチング回路は、高電圧入力信号から著しく電流を消費することなく、高電圧信号用の伝送ゲートスイッチとして使用される、請求項１〜７のいずれか一項に記載の方法。
【請求項９】
高コモンモード電圧における信号をスイッチングするための高電圧スイッチング回路であって、該スイッチング回路は、低電圧制御信号で制御される高電圧入力出力トランジスタを含む、高電圧スイッチング回路。
【請求項１０】
高電圧電源、高電圧制御信号を必要とせず、高電圧信号に結合するための伝送ゲートスイッチとして適合され、前記高電圧信号から電流を取り出さない、請求項９に記載の高電圧スイッチング回路。
【請求項１１】
１次電流路を更に含み、全ての電流は、前記１次電流路を流れる、請求項９又は１０に記載の高電圧スイッチング回路。
【請求項１２】
前記１次電流路高電圧入力出力トランジスタを駆動するのに必要な電流を取り出すために使用される、第２入力電流路を更に含む、請求項１１に記載の高電圧スイッチング回路。
【請求項１３】
前記第２入力電流路は、前記１次電流路で取り出されたはずの、実質的に全ての漏洩電流を取り出す、請求項１２に記載の高電圧スイッチング回路。
【請求項１４】
前記１次又は第２入力電流路のいずれかで駆動される浮遊コンデンサを更に含む、請求項１２又は１３に記載の高電圧スイッチング回路。
【請求項１５】
サンプリング回路及びマルチプレクサであって、
共通接続を有する第１、第２サンプルスイッチであって、更に、
前記第１サンプルスイッチは、ＶＢＵＳノードに結合し、
前記第２サンプルスイッチは、ＶＳＥＮＳＥノードに結合する、第１、第２サンプルスイッチと、
前記共通接続に結合するノードを１つ有する、第１サンプルコンデンサと、
前記第１サンプルコンデンサの他ノードに結合するノードを１つ有する、第２サンプルコンデンサと、
前記第２サンプルコンデンサと並列結合する、短絡スイッチと、
前記第１、第２サンプルコンデンサ間の接合部に結合する入力、及び第２サンプルコンデンサの他ノードに結合する出力を有する、オペアンプと、を含み、
前記第１、第２サンプラスイッチは、低電圧制御信号で制御される高電圧入力出力トランジスタを含む、前記サンプリング回路及びマルチプレクサ。
【請求項１６】
２極スイッチに結合する差動入力を有するアナログデジタルコンバータ（ＡＤＣ）を更に含む、請求項１５に記載のサンプリング回路及びマルチプレクサ。
【請求項１７】
電源と負荷とを結合するよう適合されたセンス抵抗器であって、
複数の高電圧スイッチング回路の高電圧入力の一部は、前記センス抵抗器の電源側に結合し、
前記複数の高電圧スイッチング回路の前記高電圧入力の他の一部は、前記センス抵抗器の負荷側に結合する、前記センス抵抗器を更に含む、請求項１５又は１６に記載のサンプリング回路及びマルチプレクサ。
【請求項１８】
サンプリング回路及びマルチプレクサであって、
高電圧入力、高電圧出力、及び低電圧制御入力を含む複数の高電圧スイッチング回路と、
前記高電圧出力の一部に結合する第１ノード、及び前記高電圧出力の他の部分に結合する第２ノードを有するサンプルホールドコンデンサと、
前記第１ノードに結合する極、及び前記第２ノードに結合する別の極を有する２極スイッチとを含む、前記サンプリング回路マルチプレクサ。
【手続補正２】
【補正対象書類名】明細書
【補正対象項目名】００１１
【補正方法】変更
【補正の内容】
【００１１】
更なる実施形態によると、アナログデジタルコンバータ（ＡＤＣ）は、２極スイッチに結合する差動入力を有してよい。更なる実施形態によると、電源と負荷とを結合するよう適合されたセンス抵抗器を含むことができ、この複数の高電圧スイッチング回路の高電圧入力の一部は、センス抵抗器の電源側に結合可能であり、この複数の高電圧スイッチング回路の高電圧入力の他の一部は、センス抵抗器の負荷側に結合可能である。
本願明細書は、例えば、以下の項目も提供する。
（項目１）
低電圧制御信号で高電圧スイッチング回路を制御する方法であって、該方法が、
少なくとも１つの低電圧制御信号に結合する、低電圧インバータを提供することと、
前記低電圧インバータに結合し、前記低電圧インバータで制御される第１高電圧トランジスタを提供することと、
前記第１高電圧トランジスタに結合し、前記第１高電圧トランジスタで制御される第２高電圧トランジスタを提供することと、
前記第２高電圧トランジスタに結合し、前記第２高電圧トランジスタによって制御される、連続した第３、第４高電圧トランジスタを含む１次入力／出力信号路を提供することと、を含む方法であって、前記低電圧インバータは、前記第１高電圧トランジスタをターンオンし、
前記第１高電圧トランジスタは、前記第２高電圧トランジスタをターンオンし、
更に、前記第２高電圧トランジスタは、前記第３、第４高電圧トランジスタをターンオンすることで、前記１次入力／出力信号路をイネーブルする、前記方法。
（項目２）
低電圧制御信号のみを使用して、浮遊コンデンサにより、前記第２高電圧トランジスタのソースを昇圧することを更に含む、項目１に記載の方法。
（項目３）
前記１次入力／出力信号路から、漏洩電流及びスイッチング電流を除去するための２次経路を提供することを更に含む、項目２に記載の方法。
（項目４）
前記２次経路から、前記高電圧トランジスタを駆動するのに必要とされる制御電流を供給することを更に含む、項目３又は５又は６のいずれか一項に記載の方法。
（項目５）
前記２次経路から、前記高電圧トランジスタ用の漏洩電流を供給することを更に含む、項目３、４、又は６のいずれか一項に記載の方法。
（項目６）
前記１次、又は２次経路から、前記浮遊コンデンサを駆動することを更に含む、項目３〜５のいずれか一項に記載の方法。
（項目７）
前記高電圧スイッチング回路は、高電圧電源、又は高電圧制御信号を必要とせず、高電圧信号用の伝送ゲートスイッチとして使用される、項目１〜６、又は８のいずれか一項に記載の方法。
（項目８）
前記高電圧スイッチング回路は、高電圧入力信号から著しく電流を消費することなく、高電圧信号用の伝送ゲートスイッチとして使用される、項目１〜７のいずれか一項に記載の方法。
（項目９）
高コモンモード電圧における信号をスイッチングするための高電圧スイッチング回路であって、該スイッチング回路は、低電圧制御信号で制御される高電圧入力出力トランジスタを含む、高電圧スイッチング回路。
（項目１０）
高電圧電源、高電圧制御信号を必要とせず、高電圧信号に結合するための伝送ゲートスイッチとして適合され、前記高電圧信号から電流を取り出さない、項目９又は１１〜１４のいずれか一項に記載の高電圧スイッチング回路。
（項目１１）
１次電流路を更に含み、全ての電流は、前記１次電流路を流れる、項目９又は１０に記載の高電圧スイッチング回路。
（項目１２）
前記１次電流路高電圧入力出力トランジスタを駆動するのに必要な電流を取り出すために使用される、第２入力電流路を更に含む、項目１１に記載の高電圧スイッチング回路。
（項目１３）
前記第２入力電流路は、前記１次電流路で取り出されたはずの、実質的に全ての漏洩電流を取り出す、項目１２又は１４に記載の高電圧スイッチング回路。
（項目１４）
前記１次又は第２入力電流路のいずれかで駆動される浮遊コンデンサを更に含む、項目１２又は１３に記載の高電圧スイッチング回路。
（項目１５）
サンプリング回路及びマルチプレクサであって、
共通接続を有する第１、第２サンプルスイッチであって、更に、
前記第１サンプルスイッチは、ＶＢＵＳノードに結合し、
前記第２サンプルスイッチは、ＶＳＥＮＳＥノードに結合する、第１、第２サンプルスイッチと、
前記共通接続に結合するノードを１つ有する、第１サンプルコンデンサと、
前記第１サンプルコンデンサの他ノードに結合するノードを１つ有する、第２サンプルコンデンサと、
前記第２サンプルコンデンサと並列結合する、短絡スイッチと、
前記第１、第２サンプルコンデンサ間の接合部に結合する入力、及び第２サンプルコンデンサの他ノードに結合する出力を有する、オペアンプと、を含み、
前記第１、第２サンプラスイッチは、低電圧制御信号で制御される高電圧入力出力トランジスタを含む、前記サンプリング回路及びマルチプレクサ。
（項目１６）
２極スイッチに結合する差動入力を有するアナログデジタルコンバータ（ＡＤＣ）を更に含む、項目１５又は１７に記載のサンプリング回路及びマルチプレクサ。
（項目１７）
電源と負荷とを結合するよう適合されたセンス抵抗器であって、
複数の高電圧スイッチング回路の高電圧入力の一部は、前記センス抵抗器の電源側に結合し、
前記複数の高電圧スイッチング回路の前記高電圧入力の他の一部は、前記センス抵抗器の負荷側に結合する、前記センス抵抗器を更に含む、項目１５又は１６に記載のサンプリング回路及びマルチプレクサ。
（項目１８）
サンプリング回路及びマルチプレクサであって、
高電圧入力、高電圧出力、及び低電圧制御入力を含む複数の高電圧スイッチング回路と、
前記高電圧出力の一部に結合する第１ノード、及び前記高電圧出力の他の部分に結合する第２ノードを有するサンプルホールドコンデンサと、
前記第１ノードに結合する極、及び前記第２ノードに結合する別の極を有する２極スイッチとを含む、前記サンプリング回路マルチプレクサ。